(57)【要約】【課題】  直感的な操作で表示画像の調整が可能なデジタルフォトフレームを提供する。【解決手段】  表示部６が配置される装置本体４に設けられた少なくとも１つのセンサ４０と、センサ４０の検出結果に基づいて、表示部６に表示される画像６０の表示状態を調整する表示調整手段とを備える。【選択図】  図４
2010009392.tif 000002
【特許請求の範囲】
【請求項１】
表示部が配置される装置本体に設けられた少なくとも１つのセンサと、
前記センサの検出結果に基づいて、前記表示部に表示される画像の表示状態を調整する表示調整手段と、
を備えることを特徴とするデジタルフォトフレーム。
【請求項２】
前記センサは、角速度センサまたは加速度センサにより構成され、
前記角速度センサまたは前記加速度センサは、前記表示部の略中央部に配置されることを特徴とする請求項１記載のデジタルフォトフレーム。
【請求項３】
前記センサは、角速度センサまたは加速度センサにより構成され、
前記角速度センサまたは前記加速度センサは、前記表示部の４つの隅部近傍の少なくとも１つに配置されることを特徴とする請求項１記載のデジタルフォトフレーム。
【請求項４】
前記センサは、前記装置本体の周縁部に対するタップ動作を検出し、
前記表示調整手段は、前記センサによる検出結果に基づいて、前記表示部に表示されている前記画像の移動を行うことを特徴とする請求項１〜３の何れか一項に記載のデジタルフォトフレーム。
【請求項５】
前記センサは、前記装置本体の周縁部に対するタップ動作を検出し、
前記表示調整手段は、前記センサによる検出結果に基づいて、前記表示部に表示されている前記画像の回転を行うことを特徴とする請求項１〜３の何れか一項に記載のデジタルフォトフレーム。
【請求項６】
前記センサは、前記装置本体の周縁部に対するタップ動作を検出し、
前記表示調整手段は、前記センサによる検出結果に基づいて、前記表示部に表示されている前記画像の拡大または縮小を行うことを特徴とする請求項１〜３の何れか一項に記載のデジタルフォトフレーム。
【請求項７】
前記センサは、前記装置本体の周縁部に対するタップ動作を検出し、
前記表示調整手段は、前記センサによる検出結果に基づいて、前記表示部に表示されている前記画像を他の画像に変更することを特徴とする請求項１〜３の何れか一項に記載のデジタルフォトフレーム。
【請求項８】
前記センサは、前記タップ動作の強弱または回数を検出し、
前記表示調整手段は、前記センサによる検出結果に基づいて、前記表示部に表示されている前記画像に対して異なる調整量で調整を行うことを特徴とする請求項４〜７の何れか一項に記載のデジタルフォトフレーム。
【請求項９】
前記センサは、タッチセンサにより構成され、
前記タッチセンサは、前記装置本体の４辺の中の少なくとも１辺に配置されることを特徴とする請求項１記載のデジタルフォトフレーム。
【請求項１０】
前記タッチセンサは、該タッチセンサにおける接触位置または接触回数を検出し、
前記表示調整手段は、前記タッチセンサによる検出結果に基づいて、前記表示部に表示されている前記画像の移動を行うことを特徴とする請求項９に記載のデジタルフォトフレーム。
【請求項１１】
前記タッチセンサは、該タッチセンサにおける接触位置または接触回数を検出し、
前記表示調整手段は、前記タッチセンサによる検出結果に基づいて、前記表示部に表示されている前記画像の回転を行うことを特徴とする請求項９に記載のデジタルフォトフレーム。
【請求項１２】
前記タッチセンサは、該タッチセンサにおける接触位置または接触回数を検出し、
前記表示調整手段は、前記タッチセンサによる検出結果に基づいて、前記表示部に表示されている前記画像の拡大または縮小を行うことを特徴とする請求項９に記載のデジタルフォトフレーム。
【請求項１３】
前記タッチセンサは、該タッチセンサにおける接触位置または接触回数を検出し、
前記表示調整手段は、前記タッチセンサによる検出結果に基づいて、前記表示部に表示されている前記画像を他の画像に変更することを特徴とする請求項９に記載のデジタルフォトフレーム。
【請求項１４】
前記表示調整手段は、前記タッチセンサによる検出結果に基づいて、前記表示部に表示されている前記画像に対して異なる調整量で調整を行うことを特徴とする請求項９〜１３の何れか一項に記載のデジタルフォトフレーム。
【請求項１５】
リモコンにより遠隔操作を行うデジタルフォトフレームであって、
前記リモコンは、
該リモコンの筐体の周縁部に対するタップ動作を検出するセンサと、
前記センサによる検出結果を前記デジタルフォトフレームに送信する送信部と
を備え、
前記デジタルフォトフレームは、前記検出結果を受信する受信部と、
前記検出結果に基づいて表示部における画像の表示状態を調整する表示調整手段と、
を備えることを特徴とするデジタルフォトフレーム。
【請求項１６】
前記センサは、前記リモコンの筐体の周縁部に対するタップ動作の強弱または回数を検出し、
前記表示調整手段は、前記センサによる検出結果に基づいて、前記表示部に表示されている前記画像に対して異なる調整量で調整を行うことを特徴とする請求項１５に記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている（例えば、特許文献１参照）。
【特許文献１】特開２００１−６７００４号公報
【発明の開示】
【発明が解決しようとする課題】
【０００３】
ところで、デジタルフォトフレームにおいては、画像が記憶されているメモリカードをそのまま挿入して任意の画像を選択して表示させることが可能であるが、構図の調整などを容易に行うことができなかった。
【０００４】
本発明の目的は、直感的な操作で表示画像の調整が可能なデジタルフォトフレームを提供することである。
【課題を解決するための手段】
【０００５】
本発明のデジタルフォトフレームは、表示部が配置される装置本体に設けられた少なくとも１つのセンサと、前記センサの検出結果に基づいて、前記表示部に表示される画像の表示状態を調整する表示調整手段とを備えることを特徴とする。
【０００６】
また、本発明のデジタルフォトフレームは、リモコンにより遠隔操作を行うデジタルフォトフレームであって、前記リモコンは、該リモコンの筐体の周縁部に対するタップ動作を検出するセンサと、前記センサによる検出結果を前記デジタルフォトフレームに送信する送信部とを備え、前記デジタルフォトフレームは、前記検出結果を受信する受信部と、前記検出結果に基づいて表示部における画像の表示状態を調整する表示調整手段とを備えることを特徴とする。
【発明の効果】
【０００７】
本発明のデジタルフォトフレームによれば、直感的な操作で表示画像の調整を行うことができる。
【発明を実施するための最良の形態】
【０００８】
以下、図面を参照して本発明の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、本発明の実施の形態に係るＤＰＦの外観を示す斜視図である。ＤＰＦ２は、ガラスやプラスチック等からなる装置本体４を備え、装置本体４の前面４ａには、観賞用の画像や時刻等の情報が電気的に表示される表示部としてのＬＣＤパネル６が設けられている。また、前面４ａには、音楽や音声が出力されるスピーカ８及びＤＰＦ２の操作用リモコン７０（図１６参照）から出力される赤外線を検出する赤外線検出部１０が設けられている。また、装置本体４の上面４ｂには、ＤＰＦ２の電源のオン／オフ状態を切り替える電源スイッチ１２及びＤＰＦ２の機能設定やＬＣＤパネル６の表示設定の際に使用する操作キー１４が設けられている。また、装置本体４の一方の側面である側面４ｃには、画像や音楽等のデータが記憶されたメモリカードが挿入されるメモリカードスロット１６、ＵＳＢ機器が接続されるＵＳＢポート１８及びイーサネット（登録商標）規格等のネットワークケーブルが接続されるネットワーク端子２０が設けられている。なお、メモリカードスロット１６、ＵＳＢポート１８及びネットワーク端子２０は、装置本体４の側面４ｃに対向する側面である側面４ｄに設けてもよい。
【０００９】
図２は、この実施の形態に係るＤＰＦの内部の構成を示す模式図である。ＤＰＦ２の装置本体４内の略中央部には、図中の矢印で示すｘ軸及びｙ軸方向の加速度を検出する加速度センサ４０が設けられている。加速度センサ４０は、ＤＰＦ２の使用者によって装置本体４の上面４ｂ、側面４ｃ、４ｄまたは底面４ｅの何れかの面がタップされたときの回数や強度を検出する。即ち、例えば上面４ｂがタップされた場合には、−ｙ方向の加速度及びその強さを検出する。同様に、側面４ｃ、４ｄ及び底面４ｅがタップされた場合には、それぞれ−ｘ、＋ｘ及び＋ｙ方向の加速度及びその強さを検出する。
【００１０】
図３は、この実施の形態に係るＤＰＦのシステム構成を示すブロック図である。ＤＰＦ２の各部を統括的に制御するＣＰＵ３０には、上述の赤外線検出部１０、電源スイッチ１２、操作キー１４、メモリカードスロット１６、ＵＳＢポート１８及びネットワーク端子２０が接続されている。また、ＣＰＵ３０には、ＤＰＦ２の機能の設定や、画像や音楽等のデータが記憶される内部メモリ３２、ＬＣＤパネル６に表示される画像や情報等の表示制御を行なう表示制御部３４、スピーカ８から出力される音楽や音声の再生制御を行なう再生制御部３６、タップ動作を検出し検出結果をＣＰＵ３０に対して出力する上述の加速度センサ４０が接続されている。
【００１１】
図４は、この実施の形態に係るＤＰＦにおいて、表示されている画像の表示状態の調整が行われているときの状態を示す図である。なお、表示状態の調整を行う場合には、装置本体４に設けられている操作キー１４を用いて、表示されている画像の調整を可能とするモードを選択する。図４（ａ）に示すように、装置本体４のＬＣＤパネル６には、メモリカードスロット１６に挿入されたメモリカードや内部メモリ３２に記憶されている元画像６２（図５参照）の一部が拡大或いは縮小表示された画像６０が表示されている。図４（ｂ）に示すように、ＤＰＦ２の使用者が、装置本体４の側面４ｃの中央部近傍を図中の矢印の方向に１回タップすると、装置本体４の内部に設けられた加速度センサ４０によって当該タップ動作が検出される。即ち、加速度センサ４０は、図中に示す−ｘ方向（図中の矢印方向）の加速度及びその強さを検出し、検出結果をＣＰＵ３０に対して出力する。
【００１２】
ＣＰＵ３０は、入力された検出結果に基づいて、装置本体４の側面４ｃがタップされたと判定し、図４（ａ）に示すように、ＬＣＤパネル６に表示されている画像６０が、あたかもタップ方向（図中の矢印方向）に所定量だけ移動したように表示制御部３４を介して表示状態を変化させる。ここで、図５を用いてＬＣＤパネル６における表示状態の変化を説明する。図５は、表示制御部３４によって行われる画像表示処理を示す図である。図５（ａ）に示すように、タップ動作が行われる前には、元画像６２の領域６４内の部分がＬＣＤパネル６に表示されている。ＣＰＵ３０によって装置本体４の側面４ｃがタップされたと判定されると、表示制御部３４は、図５（ｂ）に示すように、領域６４を所定量ｄだけ図中の矢印の方向、即ちタップ方向の逆方向に移動させ、移動させた領域６４ａ内の部分をＬＣＤパネル６に表示させる。このような画像表示処理が行われると、ＬＣＤパネル６においては、表示されている画像６０の表示状態が、あたかもタップ動作によってタップ方向に移動したように変化する。
【００１３】
なお、図５（ａ）に示す領域６４内の部分がＬＣＤパネル６において表示されているときに、ＤＰＦ２の使用者によって装置本体４の側面４ｄがタップされた場合には、表示制御部３４は、領域６４をタップ方向の逆の方向、即ち図５（ａ）における左方向に所定量だけ移動させる。同様に、表示制御部３４は、装置本体４の上面４ｂがタップされた場合には上方向に、底面４ｅがタップされた場合には下方向に領域６４を移動させる。このような画像表示処理が行われることで、ＬＣＤパネル６に表示されている画像６０の表示状態を、あたかもタップ動作によってタップ方向に移動したように変化させることができる。
【００１４】
なお、ＤＰＦ２の使用者によるタップ動作が１回検出（判定）される毎に元画像６２上において領域６４を所定量ｄ（一定量）だけ移動させてもよいし、タップ強度に応じて移動量を変化させてもよい。所定量ｄが常に一定である場合は、ＤＰＦ２の使用者は、元画像６２における所望の画像領域がＬＣＤパネル６において表示されるまで、装置本体４の上面、両側面及び底面を複数回タップすればよい。また、移動量がタップ強度に応じて変化する場合、即ちタップ強度が大きくなるに連れて移動量も大きくなる場合には、ＤＰＦ２の使用者は、タップ強度を調節することにより、ＬＣＤパネル６に表示される画像領域の調整をより精密に行うことができる。なお、例えば同一方向へのタップが連続して実行されることによって、元画像６２上を移動した領域６４が元画像６２の端部に達した場合には、更なる同一方向のタップに基づいて、領域６４がそれ以上移動することはない。このような場合には、これ以上領域を移動させることができないことを使用者に通知するために、ＬＣＤパネル６にメッセージを表示したり、スピーカ８から通知音を発生させたりするのが好ましい。
【００１５】
この第１の実施の形態に係るＤＰＦによれば、ＤＰＦの使用者によるタップ動作の位置、方向及び強さが検出され、当該検出結果に基づいてＤＰＦに表示されている画像の表示状態が変更される。従って、ＤＰＦの使用者は、直感的な操作によって表示画像の調整を行うことができる。
【００１６】
次に、本発明の第２の実施の形態に係るＤＰＦについて説明する。なお、第２の実施の形態に係るＤＰＦ１０２は、装置本体の内部に４つの加速度センサが設けられている点で第１の実施の形態に係るＤＰＦ２とは異なるが、この点以外は、第１の実施の形態に係るＤＰＦ２と同一の構成を備えている。従って、第２の実施の形態の説明においては、第１の実施の形態に係るＤＰＦ２と同一の構成については説明を省略する。また、この第２の実施の形態に係るＤＰＦ１０２の説明においては、第１の実施の形態に係るＤＰＦ２と同一の構成には第１の実施の形態で用いた符号と同一の符号を付して説明を行なう。
【００１７】
図６は、この実施の形態に係るＤＰＦ１０２の内部の構成を示す模式図である。ＤＰＦ１０２の装置本体４内の４つの隅部の近傍には、それぞれ加速度センサ４００，４０２，４０４，４０６が設けられている。加速度センサ４００は、図中の矢印で示すｘ軸及びｙ軸方向の加速度を検出し、検出結果をＤＰＦ１０２が備えるＣＰＵ３０に対して送信する。また、他の加速度センサ４０２〜４０６も同様に直交する２軸の加速度を検出し、検出結果をＣＰＵ３０に対して送信する。
【００１８】
図７は、この実施の形態に係るＤＰＦにおいて、表示されている画像の表示状態の調整が行われているときの状態を示す図である。図７に示すように、ＤＰＦ１０２の使用者によって、装置本体４の側面４ｃの中央部近傍が図中の矢印の方向にタップされた場合には、装置本体４の内部に設けられた加速度センサ４００〜４０６のそれぞれは、−ｘ方向に略同等の強さの加速度を検出する。加速度センサ４００〜４０６のそれぞれから検出結果を受信したＣＰＵ３０は、当該受信結果に基づいて、装置本体４の側面４ｃの略中央部がタップされたと判定する。このように判定したＣＰＵ３０は、上述の第１の実施の形態に係るＤＰＦ２において行われた処理と同様に、表示制御部３４を介して、ＬＣＤパネル６に表示されている画像６０があたかもタップ方向へ移動したように表示状態を変化させる。
【００１９】
次に、図８を用いて、この実施の形態に係るＤＰＦにおいて、表示されている画像の表示状態の調整が行われているときの他の状態を説明する。図８に示すように、ＤＰＦ１０２の使用者が、装置本体４の側面４ｃの上部を図中の矢印の方向にタップすると、加速度センサ４００〜４０６によって−ｘ方向の加速度が検出される。ここで、装置本体４内の上隅部近傍に設けられている加速度センサ４００，４０２によって検出される加速度は、装置本体４内の下隅部近傍に設けられている加速度センサ４０４及び４０６によって検出される加速度よりも大きくなる。従って、加速度センサ４００〜４０６から検出結果を受信したＣＰＵ３０は、加速度センサ４００，４０２による検出結果と加速度センサ４０４，４０６による検出結果との差に基づいて、使用者によって装置本体４の側面４ｃの上部がタップされたと判定する。このように判定したＣＰＵ３０は、表示制御部３４を介して、ＬＣＤパネル６に表示されている画像６０が、あたかも反時計回りに（図中の矢印方向）に回転したように表示状態を変化させる。ここで、図９を用いてＬＣＤパネル６における表示状態の変化を説明する。図９は、表示制御部３４によって行われる画像表示処理を示す図である。図９（ａ）に示すように、タップ動作が行われる前には、元画像６２の領域６４内の部分がＬＣＤパネル６に表示されている。ＣＰＵ３０によって装置本体４の側面４ｃの上部がタップされたと判定されると、表示制御部３４は、図９（ｂ）に示すように、領域６４を所定角度だけ図中の矢印の方向に回転させる。そして、このように回転した領域６４ｂ内の部分がＬＣＤパネル６に表示される。このような画像表示処理が行われると、ＬＣＤパネル６においては、表示されている画像６０の表示状態が、あたかもタップ動作によってタップ方向に回転したように変化する。
【００２０】
なお、ＤＰＦ２の使用者によって装置本体４の側面４ｃの下方がタップされた場合には、加速度センサ４０４及び４０６によって検出される加速度は、加速度センサ４００，４０２によって検出される加速度よりも大きくなる。このような場合には、ＣＰＵ３０は、加速度センサ４０４，４０６による検出結果と加速度センサ４００，４０２による検出結果との差に基づいて、使用者によって装置本体４の側面４ｃの下部がタップされたと判定し、表示制御部３４を介して、図９（ｂ）に示される処理とは逆の処理、即ち領域６４を反時計回りに回転させるような画像表示処理を実行する。従って、ＬＣＤパネル６に表示されている画像６０は、あたかも時計回りに回転したように表示状態が変化される。
【００２１】
また、このようにしてＣＰＵ３０によって加速度センサ４００〜４０６による加速度の検出結果と画像調整との相関関係が考慮されることにより、装置本体４の上面４ｂの左端部近傍、側面４ｄの下端部近傍及び底面４ｅの右端部近傍がタップされた場合には、ＬＣＤパネル６に表示されている画像６０は、あたかも反時計回りに回転したように表示状態が変化される。また、上面４ｂの右端部近傍、側面４ｄの上端部近傍及び底面４ｅの左端部近傍がタップされた場合には、ＬＣＤパネル６に表示されている画像６０は、あたかも時計回りに回転したように表示状態が変化される。
【００２２】
なお、１回のタップ操作に基づく領域６４の回転量は、上述の移動量と同様に、常に一定でもよいし、タップ強度に応じて変化してもよい。また、例えば同一方向への回転を指示するタップが連続して実行されることによって、元画像６２上を回転した領域６４の端部（角部）が元画像６２の端部に達した場合には、領域６４が当該方向へそれ以上回転しないようにしてもよいし、領域６４が元画像６２内に収まるように領域６４を縮小させながら回転させてもよい。領域６４が当該方向へそれ以上回転しないようにする場合には、これ以上領域を回転させることができないことを使用者に通知するために、ＬＣＤパネル６にメッセージを表示したり、スピーカ８から通知音を発生させたりするのが好ましい。また、領域６４が元画像６２内に収まるように領域６４を縮小させながら回転させる場合には、ＬＣＤパネル６に表示される画像は拡大されながら回転表示される。
【００２３】
また、所定の強さ以上のタップ動作が検出された場合には、表示制御部３４は、画像６０に対して、例えば一度に９０度回転させるような表示処理を行ってもよい。また、画像６０の回転の中心は、通常は画像６０、即ち元画像６２における領域６４の中心であるが、元画像６２の中心や元画像６２におけるＡＦ測距を行った位置であってもよい。
【００２４】
この第２の実施の形態に係るＤＰＦによれば、ＤＰＦの使用者によるタップ動作の位置、方向及び強さが検出され、当該検出結果に基づいてＤＰＦに表示されている画像の表示状態が変更される。従って、ＤＰＦの使用者は、直感的な操作によって表示画像の調整を行うことができる。
【００２５】
次に、本発明の第３の実施の形態に係るＤＰＦについて説明する。なお、第３の実施の形態に係るＤＰＦ２０２は、第２の実施の形態に係るＤＰＦ１０２が備える４つの加速度センサに替えて、装置本体の上面、両側面及び底面のそれぞれにタッチセンサが設けられている点で第２の実施の形態に係るＤＰＦ１０２とは異なるが、この点以外は、第２の実施の形態に係るＤＰＦ１０２と同一の構成を備えている。従って、第３の実施の形態の説明においては、第２の実施の形態に係るＤＰＦ１０２と同一の構成については説明を省略する。また、この第３の実施の形態に係るＤＰＦ２０２の説明においては、第２の実施の形態に係るＤＰＦ１０２と同一の構成には第２の実施の形態で用いた符号と同一の符号を付して説明を行なう。
【００２６】
図１０は、この実施の形態に係るＤＰＦ２０２が備えるタッチセンサの位置を示す模式図である。ＤＰＦ２０２の装置本体４の上面４ｂ、側面４ｃ，４ｄ及び底面４ｅには、それぞれタッチセンサ４１０，４１２，４１４，４１６が設けられている。タッチセンサ４１０〜４１６は、ＤＰＦ２０２の使用者によるタッチ動作の位置、時間、強度を検出し、検出結果をＤＰＦ２０２が備えるＣＰＵ３０に対して出力する。なお、上面４ｂに設けられた電源スイッチ１２等、及び側面４ｃに設けられたメモリカードスロット１６等は、タッチセンサ４１０，４１２の設置位置を避けて設けてもよいし、装置本体の背面に設けてもよい。
【００２７】
図１１は、この実施の形態に係るＤＰＦにおいて、表示されている画像の表示状態の調整が行われているときの状態を示す図である。図１１（ａ）に示すように、ＤＰＦ２０２の使用者によって、側面４ｃに設けられたタッチセンサ４１２の略中央部がタッチされると、タッチ動作の検出結果がＣＰＵ３０に対して出力される。ＣＰＵ３０は、当該検出結果に基づいて側面４ｃの略中央部がタッチされたことを判定すると、上述の第１の実施の形態に係るＤＰＦにおいて行われた処理と同様に、表示制御部３４を介してＬＣＤパネル６に表示されている画像６０があたかもタッチ方向へ移動したように表示状態を変化させる。なお、ＬＣＤパネル６に表示されている画像６０は、同様の処理が実行されることにより、タッチセンサ４１０の略中央部がタッチされた場合には下方向へ、タッチセンサ４１４の略中央部がタッチされた場合には右方向へ、タッチセンサ４１６の略中央部がタッチされた場合には上方向へ、それぞれ移動したように表示状態が変化される。
【００２８】
一方、図１１（ｂ）に示すように、ＤＰＦ２０２の使用者によって、タッチセンサ４１２の上端部近傍がタッチされた場合には、ＣＰＵ３０は、タッチセンサ４１２から送信された検出結果に基づいて、側面４ｃの上端部近傍がタッチされたことを判定する。このように判定したＣＰＵ３０は、上述の第２の実施の形態に係るＤＰＦにおいて行われた処理と同様に、ＬＣＤパネル６に表示されている画像６０が、あたかも図１１（ｂ）における反時計回りに回転したように表示状態を変化させる。なお、ＬＣＤパネル６に表示されている画像６０は、同様の処理が実行されることにより、タッチセンサ４１０の左端部近傍、タッチセンサ４１４の下端部近傍、タッチセンサ４１６の右端部近傍がタッチされた場合には反時計回りに、タッチセンサ４１０の右端部近傍、タッチセンサ４１２の下端部近傍、タッチセンサ４１４の上端部近傍、タッチセンサ４１６の左端部近傍がタッチされた場合には時計回りに、それぞれ回転したように表示状態が変化される。
【００２９】
なお、１回のタッチ操作に基づく画像６０の移動量及び回転量は、上述の実施の形態に係るＤＰＦと同様に、常に一定でもよいし、タッチ強度に応じて変化してもよい。タッチセンサ４１０〜４１６がタッチ強度を検出できる場合には、検出されたタッチ強度に応じて移動または回転の量を決定してもよい。なお、図１２に示すように、タッチセンサ４１０〜４１６と共に、装置本体４内にタッチ（タップ）強度を検出する加速度センサ５０を設け、タッチセンサ４１０〜４１６によって検出されるタッチ位置と、加速度センサ５０によって検出されるタッチ強度の双方に基づいて移動または回転の量を決定してもよい。
【００３０】
また、タッチ操作に基づく画像６０の移動量及び回転量は、タッチ時間に基づいて決定されてもよい。例えば連続して所定時間以上タッチされた場合に、画像の移動または回転が高速で行われるようにしてもよい。
【００３１】
なお、例えば同一位置のタッチが連続して実行されることによって、元画像６２上を移動した領域６４が元画像６２の端部に達した場合には、領域６４が同一位置のタッチに基づいてそれ以上移動することはない。このような場合には、これ以上領域を移動させることができないことを使用者に通知するために、ＬＣＤパネル６にメッセージを表示したり、スピーカ８から通知音を発生させたりするのが好ましい。
【００３２】
この第３の実施の形態に係るＤＰＦによれば、ＤＰＦの使用者によるタッチ操作の位置、方向及び強さが検出され、当該検出結果に基づいてＤＰＦに表示されている画像の表示状態が変更される。従って、ＤＰＦの使用者は、直感的な操作によって表示画像の調整を行うことができる。
【００３３】
なお、この第３の実施の形態に係るＤＰＦ２０２においては、使用者が、タッチしながらタッチ位置を変化させることで、表示画像の移動処理が行われるようにしてもよい。即ち、例えばタッチセンサ４１２上において、タッチしながら指を上方へ移動させたときには表示画像が上方に移動し、下方へ移動させたときには表示画像が下方へ移動するようにしてもよい。同様に、上面４ｂに設けられているタッチセンサ４１０上において、タッチしながら指を左右に移動させたときに表示画像を左右に移動させるようにしてもよい。
【００３４】
次に、本発明の第４の実施の形態に係るＤＰＦについて説明する。なお、第４の実施の形態に係るＤＰＦ３０２は、上述の第１及び第２の実施の形態に係るＤＰＦが備える加速度センサを、ｘ軸及びｙ軸方向に限らず、装置本体４の前後方向であるｚ軸方向のタップ動作も検出することのできる加速度センサに替えたもの、或いは、上述の第１〜第３の実施の形態に係るＤＰＦにｚ軸方向のタップ動作を検出できる加速度センサを追加的に設けたものである。
【００３５】
図１３は、この実施の形態に係るＤＰＦにおいて、画像の表示状態の調整を行っているときの状態を示す図である。なお、図１３に示すＤＰＦ３０２は、第２の実施の形態に係るＤＰＦ１０２が備える加速度センサ４００，４０２，４０４，４０６を、それぞれ図中のｚ軸方向の加速度も検出できる加速度センサ４２０，４２２，４２４，４２６に替えたものである。図１３に示すように、ＤＰＦ３０２の使用者によって、装置本体４の前面４ａが図中の矢印の方向にタップされると、加速度センサ４２０〜４２６が−ｚ方向の加速度を検出し、検出結果をＤＰＦ３０２が備えるＣＰＵ３０に出力する。当該検出結果に基づいて、装置本体４の前面４ａがタップされたと判定したＣＰＵ３０は、表示制御部３４を介して、ＬＣＤパネル６に表示されている画像６０を、あたかもＬＣＤパネル６内において後退したように縮小表示させる。ここで、図１４を用いてＬＣＤパネル６における表示状態の変化を説明する。図１４は、表示制御部３４によって行われる画像表示処理を示す図である。タップ動作が行われる前には、元画像６２の領域６４内の部分がＬＣＤパネル６に表示されている。ＣＰＵ３０によって装置本体４の前面４ａがタップされたと判定されると、表示制御部３４は、領域６４を所定倍率だけ拡大させ、拡大した領域６４ｃ内の部分をＬＣＤパネル６に表示させる。このような画像表示処理が行われると、ＬＣＤパネル６においては、表示されている画像６０があたかもタップ動作によってタップ方向に後退したように縮小表示される。
【００３６】
一方、ＤＰＦ３０２の使用者によって、装置本体４の背面（図示せず）がタップされた場合には、加速度センサ４２０〜４２６が＋ｚ方向の加速度を検出し、ＣＰＵ３０が、当該検出結果に基づいて、ＬＣＤパネル６に表示されている画像６０を、あたかもＬＣＤパネル６内において前進したように拡大表示させる。即ち、図１４に示すように、表示制御部３４は、ＣＰＵ３０によって装置本体４の背面がタップされたと判定されると、タップ動作が行われる前の領域６４から所定倍率だけ縮小された領域６４ｄ内の部分をＬＣＤパネル６に表示させる。このような画像表示処理が行われると、ＬＣＤパネル６においては、表示されている画像６０があたかもタップ動作によってタップ方向に前進したように拡大表示される。
【００３７】
なお、所定の強さ以上のタップ動作が検出された場合には、表示制御部３４は、画像６０に対して、例えば一度に整数倍だけ拡大または縮小表示させるような表示処理を行ってもよい。また、画像６０の拡大縮小の中心は、通常は画像６０、即ち元画像６２における領域６４の中心であるが、元画像６２の中心や元画像６２におけるＡＦ測距を行った位置であってもよい。
【００３８】
この第４の実施の形態に係るＤＰＦによれば、装置本体の前面に対するＤＰＦの使用者によるタップ動作が検出され、当該検出結果に基づいてＤＰＦに表示されている画像が拡大縮小される。従って、ＤＰＦの使用者は、直感的な操作によって表示画像の調整を行うことができる。
【００３９】
なお、この第４の実施の形態に係るＤＰＦ３０２において、例えば装置本体４の前面４ａの右端部近傍がタップされた場合には、加速度センサ４２０及び４２６によって検出される−ｚ方向の加速度は、加速度センサ４２２，４２４によって検出される加速度よりも大きくなる。このような場合には、ＣＰＵ３０は、加速度センサ４０４，４０６による検出結果と加速度センサ４００，４０２による検出結果との差に基づいて、装置本体４の前面４ａの右端部近傍がタップされたと判定し、表示制御部３４を介して、図１５に示すように、あたかもＬＣＤパネル６に表示されている画像が、ＬＣＤパネル６内において後方へ回転したように表示状態を変化させてもよい。
【００４０】
次に、本発明の実施の形態に係るＤＰＦの遠隔操作用リモコンについて説明する。図１６は、本発明の実施の形態に係るＤＰＦ２，１０２，２０２，３０２（以下、ＤＰＦ２等という。）の遠隔操作用リモコン７０の構成を示す模式図である。リモコン７０は、プラスチック等からなる筐体７２を備え、筐体７２の上面には、ＤＰＦ２等に対する操作を指示する操作キー７４が設けられており、筐体７２の内部には操作キー７４によって指示された操作をＤＰＦ２等に対して送信する赤外線出力部７６が設けられている。また、筐体７２内の４つの隅部の近傍には、加速度センサ４７０，４７２，４７４，４７６が設けられている。加速度センサ４７０は、図中の矢印で示すｘ軸及びｙ軸方向の加速度を検出し、検出結果を赤外線出力部７６を介してＤＰＦ２等に対して送信する。また、他の加速度センサ４７２〜４７６も同様に、直交する２軸の加速度を検出し、検出結果を赤外線出力部７６を介してＤＰＦ２等に対して送信する。
【００４１】
リモコン７０によるＤＰＦ２等のＬＣＤパネル６に表示されている画像６０の表示状態の調整方法は、上述のＤＰＦ１０２における画像６０の表示状態の調整方法と基本的に同様である。即ち、リモコン７０の使用者によって筐体７２の周縁部（側面部）がタップされたときの加速度センサ４７０〜４７６による検出結果は、赤外線出力部７６を介してＤＰＦ２等に対して送信され、赤外線検出部１０を介してＤＰＦ２等が備えるＣＰＵ３０によって受信される。ＣＰＵ３０は、加速度センサ４７０〜４７６の検出結果を受信し、加速度センサ４７０〜４７６の検出結果と画像調整との相関関係に基づいてＬＣＤパネル６に表示されている画像６０の表示状態を変化させる。従って、例えば、筐体７２の側面７２ｃの中央部近傍がタップされた場合には、ＤＰＦ１０２において側面４ｃの中央部近傍がタップされた場合と同様に、画像６０の表示状態が調整される。
【００４２】
なお、この実施の形態に係るリモコン７０では、４つの加速度センサを筐体７２内の４つの隅部の近傍部に設けているが、１つの加速度を筐体７２の略中央部に設けてもよいし、４つのタッチセンサを筐体７２の４側面に設けてもよい。リモコン７０によるＤＰＦ２等のＬＣＤパネル６に表示されている画像６０の表示状態の調整方法は、１つの加速度センサを筐体７２の略中央部に設けた場合には、上述のＤＰＦ２における画像６０の表示状態の調整方法と基本的に同様であり、４つのタッチセンサを筐体７２の４側面に設けた場合には、上述のＤＰＦ２０２における画像６０の表示状態の調整方法と基本的に同様である。
【００４３】
この実施の形態に係る遠隔操作用リモコンによれば、リモコンの使用者によるタップ動作の位置、方向及び強さが検出され、当該検出結果に基づいてＤＰＦに表示されている画像の表示状態が変更される。従って、リモコンの使用者は、直感的な操作によって表示画像の調整を行うことができる。
【００４４】
なお、上述の実施の形態に係るＤＰＦにおいては、ＬＣＤパネル６に表示されている画像６０の表示状態の調整を行う場合には、装置本体４に設けられている操作キー１４を操作して、装置本体４に対するタップ動作によって画像６０の表示状態を調整できるモードを選択した場合を前提としているが、例えば、所定の強さ以上のタップ動作や、複数方向のタップ動作を同時に入力する方法等により、操作キー１４を使用することなく、画像６０の表示状態を調整できるモードを選択できるようにしてもよい。
【００４５】
また、装置本体４に設けられている操作キー１４、或いは所定のタップ動作によって、装置本体４のメモリカードスロット１６に挿入されているメモリカードや内部メモリ３２に記憶されている複数の画像から所望の画像を選択するモードが選択された場合には、タップ動作によって、当該複数画像の表示の切り替えが順次行われるようにしてもよい。
【００４６】
また、上述の実施の形態に係るＤＰＦにおいては、画像６０の表示状態が調整された後に、当該表示状態や当該表示状態に至った調整方法を内部メモリ３２に記憶させて、再度同じ元画像６２が選択されたときに、当該表示状態で画像６０が表示されるようにしてもよい。また、元画像６２を、当該表示状態で表示されている画像６０に加工してもよい。
【００４７】
なお、上述の実施の形態に係るＤＰＦ及び遠隔操作用リモコンでは、加速度センサを装置本体内または筐体内に設けているが、加速度センサに替えて角速度センサを設けてもよい。この場合においても、各角速度センサによって検出された角速度と画像調整との相関関係に基づいて、ＬＣＤパネルに表示されている画像の表示状態の調整が行われる。
【図面の簡単な説明】
【００４８】
【図１】第１の実施の形態に係るデジタルフォトフレームの外観を示す斜視図である。
【図２】第１の実施の形態に係るデジタルフォトフレームの内部の構成を示す模式図である。
【図３】第１の実施の形態に係るデジタルフォトフレームのシステム構成を示すブロック図である。
【図４】第１の実施の形態に係るデジタルフォトフレームにおける画像の表示状態の調整を示す図である。
【図５】第１の実施の形態に係る表示制御部によって行われる画像表示処理を示す図である。
【図６】第２の実施の形態に係るデジタルフォトフレームの内部の構成を示す模式図である。
【図７】第２の実施の形態に係るデジタルフォトフレームにおける画像の表示状態の調整を示す図である。
【図８】第２の実施の形態に係るデジタルフォトフレームにおける画像の表示状態の他の調整を示す図である。
【図９】第２の実施の形態に係る表示制御部によって行われる画像表示処理を示す図である。
【図１０】第３の実施の形態に係るデジタルフォトフレームが備えるタッチセンサの位置を示す模式図である。
【図１１】第３の実施の形態に係るデジタルフォトフレームにおける画像の表示状態の調整を示す図である。
【図１２】第３の実施の形態に係るデジタルフォトフレームにおける画像の表示状態の他の調整を示す図である。
【図１３】第４の実施の形態に係るデジタルフォトフレームにおける画像の表示状態の調整を示す図である。
【図１４】第４の実施の形態に係る表示制御部によって行われる画像表示処理を示す図である。
【図１５】第４の実施の形態に係る表示制御部によって行われる他の画像表示処理を示す図である。
【図１６】本発明の実施の形態に係るデジタルフォトフレームの遠隔操作用リモコンの構成を示す模式図である。
【符号の説明】
【００４９】
２，１０２，２０２，３０２…デジタルフォトフレーム（ＤＰＦ）、４…装置本体、６…ＬＣＤパネル、１４…操作キー、３０…ＣＰＵ、３４…表示制御部、４０，５０，４００，４０２，４０４，４０６，４２０，４２２，４２４，４２６，４７０，４７２，４７４，４７６…加速度センサ、６０…画像、６２…元画像、６４…領域、７０…リモコン、７２…筐体、４１０，４１２，４１４，４１６…タッチセンサ
【図１】
2010009392.tif 000003
【図２】
2010009392.tif 000004
【図３】
2010009392.tif 000005
【図４】
2010009392.tif 000006
【図５】
2010009392.tif 000007
【図６】
2010009392.tif 000008
【図７】
2010009392.tif 000009
【図８】
2010009392.tif 000010
【図９】
2010009392.tif 000011
【図１０】
2010009392.tif 000012
【図１１】
2010009392.tif 000013
【図１２】
2010009392.tif 000014
【図１３】
2010009392.tif 000015
【図１４】
2010009392.tif 000016
【図１５】
2010009392.tif 000017
【図１６】
2010009392.tif 000018